(57)【要約】【課題】リソース割り当てのための装置及び方法を提供する。【解決手段】装置は、物理リソースブロックのリソース割り当てにおいて、各々がリソース割り当てのための１又はそれ以上の適法な開始位置を含む複数のブランチを有するツリー構造を利用するように構成されたコントローラを含む。個々の開始位置は、物理リソースブロックのクラスタに関連し、開始位置の数は、各ブランチ上で異なる。各ブランチのリソースクラスタのサイズは異なる。コントローラは、各リソースクラスタに所定のインデックスを付け、１又はそれ以上のクラスタをユーザ装置のアップリンク接続に割り当てるように構成される。【選択図】図２Ａ
2014150588.tif 000002
【特許請求の範囲】
【請求項１】
物理リソースブロックのリソース割り当てにおいて複数のブランチを有するツリー構造を利用するステップと、
各リソースクラスタに所定のインデックスを付けるステップと、
１又はそれ以上のクラスタをユーザ装置のアップリンク接続に割り当てるステップと、を含み、各ブランチが、前記リソース割り当てのための１又はそれ以上の適法な開始位置を含み、各開始位置が、前記物理リソースブロックのクラスタに関連し、前記開始位置の数が、各ブランチにおいて異なり、各ブランチの前記リソースクラスタのサイズが異なる、
ことを特徴とする方法。
【請求項２】
前記ブランチ上の前記クラスタのサイズが、少なくとも１つの所与の整数の累乗に基づく、
ことを特徴とする請求項１に記載の方法。
【請求項３】
前記割り当てたリソースを前記ユーザ装置へシグナリングするステップをさらに含む、ことを特徴とする請求項１又は請求項２に記載の方法。
【請求項４】
アップリンク送信のためにユーザ装置にクラスタを割り当てるステップと、
前記割り当てたクラスタと重複するクラスタを前記ツリー構造から削除するステップと、
前記ユーザ装置にさらなるクラスタを割り当てる前に、利用可能な各クラスタに所定のインデックスを付け直すステップと、
をさらに含むことを特徴とする請求項１、請求項２、又は請求項３のいずれかに記載の方法。
【請求項５】
アップリンク送信のためにユーザ装置にクラスタを割り当てるステップと、
前記割り当てたクラスタの最初又は最後のいずれかを分割周波数として使用して、周波数領域内の前記ツリー構造のクラスタを２つのセクションに分割するステップと、
前記割り当てたクラスタを含む前記セクションに属するクラスタを前記ツリー構造から削除するステップと、
前記ユーザ装置にさらなるクラスタを割り当てる前に、利用可能な各クラスタに所定のインデックスを付け直すステップと、
をさらに含むことを特徴とする請求項１、請求項２、又は請求項３のいずれかに記載の方法。
【請求項６】
割り当てる予定の後続するクラスタよりも小さいクラスタをアップリンク送信のためにユーザ装置に割り当てるステップと、
前記割り当てたクラスタよりも小さい前記クラスタを前記ツリー構造から削除するステップと、
前記ユーザ装置にさらなるクラスタを割り当てる前に、利用可能な各クラスタに所定のインデックスを付け直すステップと、
をさらに含むことを特徴とする請求項１、請求項２、又は請求項３のいずれかに記載の方法。
【請求項７】
ユーザ装置に割り当てる第１のクラスタが、偶数又は奇数のインデックス値を有し、前記ユーザ装置に割り当てる第２のクラスタが、奇数のインデックス値を有する、
ことを特徴とする請求項１、請求項２、又は請求項３のいずれかに記載の方法。
【請求項８】
ユーザ装置に割り当てる全てのクラスタが、偶数又は奇数のいずれかのインデックス値を有する、
ことを特徴とする請求項１、請求項２、又は請求項３のいずれかに記載の方法。
【請求項９】
前記ユーザ装置の所定の特性に応じて、前記ユーザ装置に偶数又は奇数のインデックス値が割り当てられる、
ことを特徴とする請求項８に記載の方法。
【請求項１０】
インデックスｍを有するクラスタをユーザ装置に割り当てるステップと、
ブランチ内のクラスタの総数をｎとするインデックスｎ−ｍを有する第２のクラスタを割り当てるステップと、
を含むことを特徴とする請求項１、請求項２、又は請求項３のいずれかに記載の方法。
【請求項１１】
単一の物理リソースブロックの長さを有するクラスタを、リソースブロック空間の最初又は最後のいずれかのみから割り当てるステップをさらに含む、
ことを特徴とする請求項１、請求項２、又は請求項３のいずれかに記載の方法。
【請求項１２】
前記リソース割り当ての前記ツリー構造を、サウンディング基準信号の割り当てにおいて使用するツリー構造と一致させるステップをさらに含む、
ことを特徴とする請求項１、請求項２、又は請求項３のいずれかに記載の方法。
【請求項１３】
物理リソースブロックのリソース割り当てにおいて複数のブランチを有するツリー構造を利用し、
各リソースクラスタに所定のインデックスを付け、
１又はそれ以上のクラスタをユーザ装置のアップリンク接続に割り当てる、
ように構成されたコントローラを備え、各ブランチが、前記リソース割り当てのための１又はそれ以上の適法な開始位置を含み、各開始位置が、前記物理リソースブロックのクラスタに関連し、前記開始位置の数が、各ブランチにおいて異なり、各ブランチの前記リソースクラスタのサイズが異なる、
ことを特徴とする装置。
【請求項１４】
前記ブランチ上の前記クラスタの前記サイズが少なくとも１つの所与の整数の累乗に基づくツリー構造を利用するようにさらに構成されたコントローラを備える、
ことを特徴とする請求項１３に記載の装置。
【請求項１５】
前記割り当てたリソースを前記ユーザ装置へシグナリングするように構成された送信機を備える、
ことを特徴とする請求項１３又は１４に記載の装置。
【請求項１６】
アップリンク送信のためにユーザ装置にクラスタを割り当て、
前記割り当てたクラスタと重複するクラスタを前記ツリー構造から削除し、
前記ユーザ装置にさらなるクラスタを割り当てる前に、利用可能な各クラスタに所定のインデックスを付け直す、
ようにさらに構成されたコントローラを備える、
ことを特徴とする請求項１３、請求項１４、又は請求項１５のいずれかに記載の装置。
【請求項１７】
アップリンク送信のためにユーザ装置にクラスタを割り当て、
前記割り当てたクラスタの最初又は最後のいずれかを分割周波数として使用して、周波数領域内の前記ツリー構造のクラスタを２つのセクションに分割し、
前記割り当てたクラスタを含む前記セクションに属するクラスタを前記ツリー構造から削除し、
前記ユーザ装置にさらなるクラスタを割り当てる前に、利用可能な各クラスタに所定のインデックスを付け直す、
ようにさらに構成されたコントローラを備える、
ことを特徴とする請求項１３、請求項１４、又は請求項１５のいずれかに記載の装置。
【請求項１８】
割り当てる予定の後続するクラスタよりも小さいクラスタをアップリンク送信のためにユーザ装置に割り当て、
前記割り当てたクラスタよりも小さい前記クラスタを前記ツリー構造から削除し、
前記ユーザ装置にさらなるクラスタを割り当てる前に、利用可能な各クラスタに所定のインデックスを付け直す、
ようにさらに構成されたコントローラを備える、
ことを特徴とする請求項１３、請求項１４、又は請求項１５のいずれかに記載の装置。
【請求項１９】
偶数又は奇数のインデックス値を有する第１のクラスタ、及び奇数のインデックス値を有する第２のクラスタをユーザ装置に割り当てるようにさらに構成されたコントローラを備える、
ことを特徴とする請求項１３、請求項１４、又は請求項１５のいずれかに記載の装置。
【請求項２０】
全てが偶数又は奇数のいずれかのインデックス値を有するクラスタをユーザ装置に割り当てるようにさらに構成されたコントローラを備える、
ことを特徴とする請求項１３、請求項１４、又は請求項１５のいずれかに記載の装置。
【請求項２１】
前記ユーザ装置の所定の特性に応じて偶数又は奇数のインデックス値を有するクラスタを前記ユーザ装置に割り当てるようにさらに構成されたコントローラを備える、
ことを特徴とする請求項２０に記載の装置。
【請求項２２】
インデックスｍを有するクラスタをユーザ装置に割り当て、
ブランチ内のクラスタの総数をｎとするインデックスｎ−ｍを有する第２のクラスタを割り当てる、
ようにさらに構成されたコントローラを備える、
ことを特徴とする請求項１３、請求項１４、又は請求項１５のいずれかに記載の装置。
【請求項２３】
単一の物理リソースブロックの長さを有するクラスタを、リソースブロック空間の最初又は最後のいずれかのみから割り当てるようにさらに構成されたコントローラを備える、ことを特徴とする請求項１３、請求項１４、又は請求項１５のいずれかに記載の装置。
【請求項２４】
前記リソース割り当ての前記ツリー構造を、サウンディング基準信号の割り当てにおいて使用するツリー構造と一致させるようにさらに構成されたコントローラを備える、
ことを特徴とする請求項１３、請求項１４、又は請求項１５のいずれかに記載の装置。
【請求項２５】
アップリンクリソース割り当てを受け取るように構成された受信機と、
前記割り当てられたリソースを使用して送信を行うように構成された送信機と、
物理リソースブロックの前記リソース割り当てにおいて、複数のブランチを有するツリー構造に基づくリソース割り当てを利用するように前記送信機を制御するように構成されたコントローラと、
を備え、
各ブランチが、前記リソース割り当てのための１又はそれ以上の適法な開始位置を含み、
各開始位置が、前記物理リソースブロックのクラスタに関連し、前記開始位置の数が、各ブランチにおいて異なり、各ブランチの前記リソースクラスタのサイズが異なり、
各リソースクラスタに所定のインデックスが付けられ、前記リソース割り当てが、１又はそれ以上のクラスタの前記インデックスを含む、
ことを特徴とする装置。
【請求項２６】
物理リソースブロックのリソース割り当てにおいて複数のブランチを有するツリー構造を利用するための手段と、
各リソースクラスタに所定のインデックスを付けるための手段と、
１又はそれ以上のクラスタをユーザ装置のアップリンク接続に割り当てるための手段と、
を備え、各ブランチが、前記リソース割り当てのための１又はそれ以上の適法な開始位置を含み、各開始位置が、前記物理リソースブロックのクラスタに関連し、前記開始位置の数が、各ブランチにおいて異なり、各ブランチの前記リソースクラスタのサイズが異なる、
ことを特徴とする装置。
【請求項２７】
物理リソースブロックのリソース割り当てのための動作を実行するようにプロセッサにより実行可能な命令のプログラムを具体化するコンピュータ可読メモリであって、前記動作が、
物理リソースブロックのリソース割り当てにおいて複数のブランチを有するツリー構造を利用するステップと、
各リソースクラスタに所定のインデックスを付けるステップと、
１又はそれ以上のクラスタをユーザ装置のアップリンク接続に割り当てるステップと、を含み、各ブランチが、前記リソース割り当てのための１又はそれ以上の適法な開始位置を含み、各開始位置が、前記物理リソースブロックのクラスタに関連し、前記開始位置の数が、各ブランチにおいて異なり、各ブランチの前記リソースクラスタのサイズが異なる、
ことを特徴とするコンピュータ可読メモリ。
【請求項２８】
物理リソースブロックのリソース割り当てのための動作を実行するようにプロセッサにより実行可能な命令のプログラムを具体化するコンピュータ可読メモリであって、前記動作が、
物理リソースブロックのリソース割り当てにおいて複数のブランチを有するツリー構造を利用するステップと、
各リソースクラスタに所定のインデックスを付けるステップと、
１又はそれ以上のクラスタをユーザ装置のアップリンク接続に割り当てるステップと、を含み、各ブランチが、前記リソース割り当てのための１又はそれ以上の適法な開始位置を含み、各開始位置が、前記物理リソースブロックのクラスタに関連し、前記開始位置の数が、各ブランチにおいて異なり、各ブランチの前記リソースクラスタのサイズが異なる、
ことを特徴とするコンピュータ可読メモリ。
【発明の詳細な説明】
【技術分野】
【０００１】
本発明の例示的かつ非限定的な実施形態は、一般に無線通信ネットワークに関し、より詳細には、リソース割り当てに関する。
【背景技術】
【０００２】
以下の背景技術についての記述は、本発明に先行する関連技術には知られておらず本発明により提供される開示とともに、見識、発見、理解又は開示、或いは関連性を含むことができる。以下、本発明のいくつかのこのような寄与を具体的に指摘することができるが、これらの文脈から本発明のその他のこのような寄与が明らかになるであろう。
【０００３】
将来の通信システムを設計する上で重要な要素は、より高いデータレートをコスト効率良くサポートすること、及び効率的なリソース利用である。高データレートをサポートする１つの通信システムに、第３世代パートナーシッププロジェクト（３ＧＰＰ）のロングタームエボリューション（ＬＴＥ）リリース８がある。ロングタームエボリューション無線アクセスシステムの改良版は、ＬＴＥ−Ａｄｖａｎｃｅｄ（ＬＴＥ−Ａ）と呼ばれる。ＬＴＥは、高速データ、マルチメディアユニキャスト、及びマルチメディアブロードキャストサービスをサポートするように設計されている。
【０００４】
通常、データレートが高いと、制御シグナリング及びリソース割り当てのための要件も高く設定される。ＬＴＥリリース８では、ＰＵＳＣＨ（物理アップリンク共有チャネル）でのアップリンク送信のための周波数において、連続するリソースの組を割り当てることができる。しかしながら、リソース割り当てにおいてさらなる柔軟性が必要であると予想することができる。柔軟なリソース割り当て方法により、利用可能なスペクトルをより良く利用するためのネットワーク手段がもたらされ、個々のユーザ装置に対する柔軟な割り当てが可能になる。
【０００５】
リソース割り当ての設計では、柔軟性に加えてシグナリング負荷も考慮しなければならない。
【発明の概要】
【課題を解決するための手段】
【０００６】
以下、本発明のいくつかの態様の基本的な理解をもたらすために、本発明の簡略化した要約を示す。この要約は、本発明の広範な概要ではない。本発明の主要／重要な要素を特定すること、又は本発明の範囲を示すことを目的とするものでもない。後述する詳細な説明の前置きとして本発明のいくつかの概念を簡略化した形で示すことのみを目的とする。
【０００７】
本発明の態様によれば、方法が提供され、この方法は、物理リソースブロックのリソース割り当てにおいて複数のブランチを有するツリー構造を利用するステップと、各リソースクラスタに所定のインデックスを付けるステップと、１又はそれ以上のクラスタをユーザ装置のアップリンク接続に割り当てるステップとを含み、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なる。
【０００８】
実施形態では、ブランチ上のクラスタのサイズが、少なくとも１つの所与の整数の累乗に基づく。
【０００９】
本発明の態様によれば、コントローラを備える装置が提供され、このコントローラは、物理リソースブロックのリソース割り当てにおいて複数のブランチを有するツリー構造を利用し、各リソースクラスタに所定のインデックスを付け、１又はそれ以上のクラスタをユーザ装置のアップリンク接続に割り当てるように構成され、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なる。
【００１０】
実施形態では、コントローラが、ブランチ上のクラスタのサイズが少なくとも１つの所与の整数の累乗に基づくツリー構造を利用するようにさらに構成される。
【００１１】
実施形態では、装置が、割り当てたリソースをユーザ装置へシグナリングするように構成された送信機を備える。
【００１２】
本発明の態様によれば、装置が提供され、この装置は、アップリンクリソース割り当てを受け取るように構成された受信機と、割り当てられたリソースを使用して送信を行うように構成された送信機と、物理リソースブロックのリソース割り当てにおいて、複数のブランチを有するツリー構造に基づくリソース割り当てを利用するように送信機を制御するように構成されたコントローラとを備え、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なり、各リソースクラスタに所定のインデックスが付けられ、リソース割り当てが、１又はそれ以上のクラスタのインデックスを含む。
【００１３】
本発明の態様によれば、装置が提供され、この装置は、物理リソースブロックのリソース割り当てにおいて複数のブランチを有するツリー構造を利用するための手段と、各リソースクラスタに所定のインデックスを付けるための手段と、１又はそれ以上のクラスタをユーザ装置のアップリンク接続に割り当てるための手段とを備え、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なる。
【００１４】
本発明の態様によれば、装置が提供され、この装置は、アップリンクリソース割り当てを受け取るように構成された受信機と、割り当てられたリソースを使用して送信を行うように構成された送信機と、物理リソースブロックのリソース割り当てにおいて、複数のブランチを有するツリー構造に基づくリソース割り当てを利用するように送信機を制御するように構成されたコントローラとを備え、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なり、各リソースクラスタに所定のインデックスが付けられ、リソース割り当てが、１又はそれ以上のクラスタのインデックスを含む。
【００１５】
本発明の別の態様によれば、装置が提供され、この装置は、物理リソースブロックのリソース割り当てにおいて複数のブランチを有するツリー構造を利用するための手段と、各リソースクラスタに所定のインデックスを付けるための手段と、１又はそれ以上のクラスタをユーザ装置のアップリンク接続に割り当てるための手段とを備え、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なる。
【００１６】
本発明の別の態様によれば、物理リソースブロックのリソース割り当てのための動作を実行するようにプロセッサにより実行可能な命令のプログラムを具体化するコンピュータ可読メモリが提供され、この動作は、物理リソースブロックのリソース割り当てにおいて複数のブランチを有するツリー構造を利用するステップと、各リソースクラスタに所定のインデックスを付けるステップと、１又はそれ以上のクラスタをユーザ装置のアップリンク接続に割り当てるステップとを含み、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なる。
【００１７】
本発明のさらに別の態様によれば、物理リソースブロックのリソース割り当てのための動作を実行するようにプロセッサにより実行可能な命令のプログラムを具体化するコンピュータ可読メモリが提供され、この動作は、物理リソースブロックのリソース割り当てにおいて複数のブランチを有するツリー構造を利用するステップと、各リソースクラスタに所定のインデックスを付けるステップと、１又はそれ以上のクラスタをユーザ装置のアップリンク接続に割り当てるステップとを含み、各ブランチが、リソース割り当てのための１又はそれ以上の適法な開始位置を含み、各開始位置が、物理リソースブロックのクラスタに関連し、開始位置の数が、各ブランチにおいて異なり、各ブランチのリソースクラスタのサイズが異なる。
【００１８】
以下、添付図面を参照しながら本発明の実施形態をほんの一例として説明する。
【図面の簡単な説明】
【００１９】
【図１Ａ】例示的なシステムアーキテクチャを示す簡略ブロック図である。
【図１Ｂ】本発明の実施形態による装置の例を示す図である。
【図２Ａ】例示的なリソース割り当てのツリー構造を示す図である。
【図２Ｂ】例示的なリソース割り当てのツリー構造を示す図である。
【図２Ｃ】例示的なリソース割り当てのツリー構造を示す図である。
【図２Ｄ】例示的なリソース割り当てのツリー構造を示す図である。
【図２Ｅ】例示的なリソース割り当てのツリー構造を示す図である。
【図３Ａ】サウンディング基準信号のツリー構造の２つの例を示す図である。
【図３Ｂ】サウンディング基準信号のツリー構造の２つの例を示す図である。
【図４Ａ】実施形態を示すフロー図である。
【図４Ｂ】実施形態を示すフロー図である。
【図４Ｃ】実施形態を示すフロー図である。
【図５】実施形態をユーザ装置の視点から示すフロー図である。
【発明を実施するための形態】
【００２０】
以下、本発明の全てではなくいくつかを示す添付図面を参照しながら本発明の例示的な実施形態についてより完全に説明する。実際には、本発明は多くの異なる形で具体化することができ、本明細書に示す実施形態に限定されると解釈すべきではなく、むしろこれらの実施形態は、本開示が、適用可能な法的要件を満たすように提供するものである。本明細書では、いくつかの箇所で「ある（ａｎ）」、「１つの（ｏｎｅ）」、又は「いくつかの（ｓｏｍｅ）」実施形態について言及するが、これは必ずしも、個々のこのような言及が同じ実施形態に対するものであること、或いはその特徴が単一の実施形態にのみ適用されることを意味するものではない。異なる実施形態の単一の特徴を組み合わせて他の実施形態を実現することもできる。
【００２１】
本発明の実施形態は、あらゆるユーザ端末、サーバ、対応する構成要素に、及び／又はあらゆる通信システムに、或いはユーザにリソースブロックを割り当てる異なる通信システムのあらゆる組み合わせに適用可能である。通信システムは無線通信システムであってもよく、又は固定ネットワークと無線ネットワークの両方を利用する通信システムであってもよい。特に無線通信では、使用するプロトコル、並びに通信システム、サーバ及びユーザ端末の仕様が急速に発展を遂げている。このような発展により、実施形態へのさらなる変更が必要となり得る。従って、全ての単語及び表現は広く解釈すべきであり、実施形態を限定することではなく例示することを意図している。
【００２２】
以下では、様々な実施形態について、これらの実施形態を適用できるシステムアーキテクチャの例として、ＬＴＥ／ＳＡＥ（ロングタームエボリューション／システムアーキテクチャエボリューション）ネットワーク要素に基づくアーキテクチャを使用して説明するが、実施形態をこのようなアーキテクチャに限定するものではない。
【００２３】
図１Ａを参照しながら、本発明の実施形態を適用できる無線システムの例について検討する。この例では、無線システムが、ＬＴＥ／ＳＡＥ（ロングタームエボリューション／システムアーキテクチャエボリューション）ネットワーク要素に基づく。しかしながら、これらの例で説明する発明は、ＬＴＥ／ＳＡＥ無線システムに限定されるものではなく、他の無線システムで実施することもできる。
【００２４】
通信システムの一般的なアーキテクチャを図１Ａに示す。図１Ａは、いくつかの要素及び機能エンティティのみを示す簡略化したシステムアーキテクチャであるが、これらは全て論理ユニットであり、その実施構成は図示のものとは異なる場合がある。図１Ａに示す接続は論理接続であり、実際の物理接続は異なる場合がある。当業者には、システムが他の機能及び構造を含むこともできることが明らかである。なお、グループ通信において又はグループ通信のために使用される機能、構造、要素及びプロトコルは、実際の発明とは無関係である。従って、ここでこれらについてより詳細に説明する必要はない。
【００２５】
図１Ａの例示的な無線システムは、ＭＭＥ（モビリティ管理エンティティ）１０８Ａ及びＳＡＥ  ＧＷ（ＳＡＥゲートウェイ）１０４Ａといった要素を含む通信事業者のサービスコアを有する。
【００２６】
無線システムのｅＮＢ（拡張ＮｏｄｅＢ）と呼ばれることもある基地局１００Ａ、１０２Ａは、無線ベアラ制御、無線アドミッション制御、接続モビリティ制御、動的リソース割り当て（スケジューリング）といった無線リソース管理のための機能をホストする。ＭＭＥ１０８Ａは、ｅＮＢ１００Ａ、１０２Ａにページングメッセージを配布することに関与する。
【００２７】
図１Ａには、ｅＮｏｄｅＢ  １００Ａと通信（１１２Ａ、１１８Ａ）するユーザ装置１１０Ａ及び１１４Ａを示している。ユーザ装置とは、ポータブルコンピュータ装置のことである。このようなコンピュータ装置は、加入者識別モジュール（ＳＩＭ）の有無に関わらず動作する無線移動体通信装置を含み、以下に限定されるわけではないが、携帯電話、スマートフォン、携帯情報端末（ＰＤＡ）、ハンドセット、ラップトップコンピュータといった種類の装置を含む。
【００２８】
接続１１２Ａ、１１８Ａは、通話／サービスに関連することができ、これらは、ユーザトラフィックがＳＡＥ  ＧＷ１０４Ａを通過する「長距離」であってもよい。例えば、ユーザ装置１１０Ａ及び１１４Ａから、ＳＡＥ  ＧＷ１０８を介してインターネット１０６Ａなどの外部ＩＰネットワークへの接続を誘導することができる。しかしながら、例示的な無線システムでは、ローカル通話／サービスも可能である。
【００２９】
図１Ａは、簡略化した例を示すものにすぎない。実際には、ネットワークは、より多くの基地局及び無線ネットワークコントローラを含むことができ、これらの基地局によってより多くのセルを形成することができる。２又はそれ以上の通信事業者のネットワークが重複することもあり、セルのサイズ及び形状が、図１などに示すものと異なる場合もある。
【００３０】
ＬＴＥの物理層は、直交周波数分割多元接続（ＯＦＤＭＡ）及び多入力多出力（ＭＩＭＯ）データ送信を含む。例えば、ＬＴＥは、ダウンリンク送信にはＯＦＤＭＡを、アップリンク送信にはシングルキャリア周波数分割多元接続（ＳＣ−ＦＤＭＡ）を展開する。ＯＦＤＭＡでは、送信周波数帯が、互いに直交する複数のサブキャリアに分割される。個々のサブキャリアは、特定のＵＥ１１０Ａ、１１４Ａへデータを送信することができる。従って、サブキャリアの一部をいずれかの個々のＵＥ１１０Ａ、１１４Ａに割り当てることにより多元接続が実現される。ＳＣ−ＦＤＭＡは、シングルキャリア変調、直交周波数領域多重及び周波数領域等化を利用する。
【００３１】
なお、通信システムは、図１Ａに示すＳＡＥ  ＧＷ１０４Ａ及びＭＭＥ１０８Ａ以外に、他のコアネットワーク要素を含むこともできる。リレーノードの概念を実現することにより、異なるｅＮｏｄｅＢ間の無線インターフェイスを介した直接通信も可能であり、この場合、リレーノードとは、無線バックホールを有する特別なｅＮｏｄｅＢ、或いは、例えば別のｅＮｏｄｅＢにより無線インターフェイスを介してリレーされるＸ２及びＳ１インターフェイスとみなすことができる。通信システムは、公衆交換電話網などの他のネットワークと通信することもできる。
【００３２】
しかしながら、これらの実施形態は、一例としての上述のネットワークに限定されるものではなく、当業者であれば、必要な特性を有する他の通信ネットワークにこの解決策を適用することができる。例えば、異なるネットワーク要素間の接続をインターネットプロトコル（ＩＰ）接続で実現することができる。
【００３３】
図１Ｂに、本発明の実施形態による装置の例を示す。図１Ｂには、通信チャネル１１２Ａ上で基地局１００Ａと接続されるように構成されたユーザ装置１１０Ａを示している。ユーザ装置１１０Ａは、メモリ１２２Ｂ及びトランシーバ１２４Ｂに動作可能に接続されたコントローラ１２０Ｂを含む。コントローラ１２０Ｂは、ユーザ装置の動作を制御する。メモリ１２２Ｂは、ソフトウェア及びデータを記憶するように構成される。トランシーバは、基地局１００Ａへの無線接続を確立してこれを維持するように構成される。トランシーバは、アンテナ配列１２８Ｂに接続されたアンテナポートの組１２６Ｂに動作可能に接続される。アンテナ配列は、アンテナの組を含むことができる。アンテナの数は、例えば２〜４とすることができる。アンテナの数は、いずれかの特定の数に限定されるものではない。
【００３４】
基地局又はｅＮｏｄｅＢ  １００Ａは、メモリ１３２Ｂ及びトランシーバ１３４Ｂに動作可能に接続されたコントローラ１３０Ｂを含む。コントローラ１３０Ｂは、基地局の動作を制御する。メモリ１３２Ｂは、ソフトウェア及びデータを記憶するように構成される。トランシーバ１３４Ｂは、基地局のサービスエリア内にあるユーザ装置への無線接続を確立してこれを維持するように構成される。トランシーバ１３４Ｂは、アンテナ配列１３６Ｂに動作可能に接続される。アンテナ配列は、アンテナの組を含むことができる。アンテナの数は、例えば２〜４とすることができる。アンテナの数は、いずれかの特定の数に限定されるものではない。
【００３５】
基地局は、通信システムの別のネットワーク要素１３８Ｂに動作可能に接続することができる。ネットワーク要素１３８Ｂは、例えば、無線ネットワークコントローラ、別の基地局、ゲートウェイ、又はサーバとすることができる。基地局は、複数のネットワーク要素に接続することができる。基地局１００Ａは、ネットワーク要素との接続を確立してこれを維持するように構成されたインターフェイス１４０Ｂを含むことができる。ネットワーク要素１３８Ｂは、コントローラ１４２Ｂと、ソフトウェア及びデータを記憶するように構成されたメモリ１４４Ｂと、基地局と接続するように構成されたインターフェイス１４６Ｂとを含むことができる。実施形態では、このネットワーク要素が、別のネットワーク要素を介して基地局に接続される。
【００３６】
ＬＴＥ−Ａは、アップリンク方向では、ユーザデータを送信するための物理アップリンク共有チャネル（ＰＵＳＣＨ）を提供する。ＰＵＳＣＨのリソースは、ネットワークによって割り当てられ、制御チャネル上でユーザ装置へシグナリングされる。ＰＵＳＣＨのリソースは、物理リソースブロック（ＰＲＢ）として割り当てられる。例えば、ＬＴＥ−Ａシステムのシステム帯域幅が２０ＭＨＺの場合、ＰＵＣＳＣＨフレームは、１００個の物理リソースブロックを含む。実施形態では、リソース割り当てのシグナリングに使用される制御チャネルは、物理ダウンリンク制御チャネル（ＰＤＣＣＨ）である。実施形態では、個々のｅＮｏｄｅＢ  １００Ａ、１０２Ａ内のスケジューラによってリソースが割り当てられる。このスケジューラは、コントローラ１３０Ｂにより実行されるソフトウェア構成要素として、又は別個のコントローラ１４６Ｂとして実現することができる。ｅＮｏｄｅＢ  １００Ａは、割り当てに関する情報をユーザ装置１１０Ａ、１１４Ａへ送信するように構成される。
【００３７】
ＬＴＥでは、ユーザ装置のアップリンク送信に１つの連続するＰＲＢの組又はクラスタが割り当てられる場合、リソース割り当てのシグナリングサイズは、１０ＭＨｚ帯域幅では１１ビット、２０ＭＨｚ帯域幅では１３ビットである。ＰＲＢのクラスタは、周波数内の所定の開始位置及びサイズを有する連続するリソース割り当てとして定義することができる。この開始位置及びサイズは、１つの物理リソースブロックに等しい最小のリソース割り当て粒度に関連して定義される。このリソース割り当ては、リソース割り当てのクラスタが開始するＰＲＢ及び（ＰＲＢの数の観点から）クラスタの長さを指示することにより、ユーザ装置へシグナリングされる。
【００３８】
本発明の実施形態では、ユーザ装置に複数のクラスタが割り当てられる。従って、リソースは、複数の連続するＰＲＢの組を含むことができる。この解決策は、単一クラスタ方法よりも柔軟なリソースの使用を実現する。
【００３９】
実施形態では、ユーザ装置に割り当てるべきクラスタを定義する上でツリー構造を利用する。このツリー構造は複数のブランチを含み、各ブランチは、リソース割り当てのための１又はそれ以上の適法な開始位置を含む。個々の開始位置が、物理リソースブロックのクラスタを定義する。各ブランチ上で開始位置の数が異なり、各ブランチのリソースクラスタのサイズも同様に異なる。
【００４０】
各リソースクラスタには、所定のインデックスを付けることができる。クラスタをユーザ装置へシグナリングする場合には、このインデックスをシグナリングすれば十分である。
【００４１】
図２Ａに、考えられるツリー構造の例を示す。横軸は周波数である。図２Ａには、ツリー構造の５つのブランチ２００、２０２、２０４、２０６、２０８、及び２１０を部分的に示している。これらのブランチは右方に継続する。さらに多くのブランチが存在することもできるが、説明を簡潔にするために図示していない。
【００４２】
実施形態では、利用可能なツリーを、全てのリソースブロックのうちの所定数の物理リソースブロックに制限することができる。従って、利用可能なツリーの幅及び位置は、設定に影響され得る。
【００４３】
この例では、第１のブランチ２００が、単一のＰＲＢのサイズのクラスタを含む。送信で使用する帯域幅を２０ＭＨｚと仮定すると、１００個のＰＲＢが存在する。従って、第１のブランチ上のクラスタの数は１００である。第２のブランチ２０２は、２個分のＰＲＢのサイズに等しいクラスタを含む。この例では、第２のブランチ上のクラスタの数は５０である。
【００４４】
第３のブランチ２０４は、４個分のＰＲＢのサイズに等しいクラスタを含む。この例では、第２のブランチ上のクラスタの数は２５である。
【００４５】
第４のブランチ２０６は、８個分のＰＲＢのサイズに等しいクラスタを含む。この例では、第２のブランチ上のクラスタの数は１２である。
【００４６】
第５のブランチ２０８は、１６個分のＰＲＢのサイズに等しいクラスタを含む。この例では、第２のブランチ上のクラスタの数は６である。
【００４７】
ツリーは、２つのさらなるブランチを含むことができ、これらのクラスタサイズは３２及び６４である。
【００４８】
個々の考えられるクラスタにインデックスが付けられる。１つの考えられるインデックス付けの方法を図２Ａに示す。インデックス付けは、第１のブランチ２００から開始し、インデックスは０〜９９である。インデックス付けは、第２のブランチ２０２上で継続し、インデックスは１００〜１４９である。第３のブランチ２０４上では、インデックスは１５０〜１７４である。第４のブランチ２０６上では、インデックスは１７５〜１８７である。第５のブランチ２０８上では、インデックスは１８８〜１９４である。図２Ａに示していない２つのさらなるブランチ上では、インデックスは１９５〜１９７である。従って、最も高いインデックス番号は１９７である。しかしながら、多くのクラスタが重複するので、同時に利用できるクラスタの数はこれよりも少なく、クラスタを異なるユーザ装置に割り当てる方法に依存する。
【００４９】
単一クラスタのリソース割り当てに必要なインデックスの総数は１９７であり、合計８ビットを使用してこれをシグナリングすることができる。ユーザ装置に２つのクラスタを割り当てて、最も単純なリソース割り当てシグナリングの方法を適用すると（リソース割り当てシグナリングを２倍にすると）、１６ビットのシグナリング負荷が生じ、これはＬＴＥリリース８の解決策と比較してわずか３ビットの増加に相当する。
【００５０】
実施形態では、コントローラ又はスケジューラが、ブランチ上のクラスタのサイズを所与の整数の累乗に基づかせるように構成される。図２Ａの例では、ブランチ上のクラスタのサイズが２の累乗（１，２，４，８，１６，．．．）に基づく。サイズが３の累乗に基づく場合、クラスタのサイズは、１、３、９、２７、．．．となる。同様に、サイズが４の累乗に基づく場合、クラスタのサイズは、１、４、１６、６４、．．．となる。
【００５１】
実施形態では、コントローラ又はスケジューラが、ブランチ上のクラスタのサイズを複数の整数の累乗に基づかせるように構成される。例えば、異なるブランチが２及び３の累乗に基づくことができる。
【００５２】
実施形態では、ユーザ装置に複数のクラスタを割り当てる際にインデックスの使用を最適化することにより、シグナリング負荷を低減することができる。
【００５３】
実施形態では、アップリンク送信のためにユーザ装置にクラスタを割り当てた後に、スケジューラが、割り当てたクラスタと重複する又はこれと並ぶクラスタをツリー構造から削除し、ユーザ装置にさらなるクラスタを割り当てる前に、利用可能な各クラスタに新たなインデックス付けを適用するように構成される。
【００５４】
図２Ｂに、この実施形態を示す。図２Ｂの例では、インデックス１７５を有するクラスタが最初にユーザ装置に割り当てられると仮定する。割り当てたクラスタ１７５と重複するクラスタをユーザ装置に割り当てることはできないので、この結果、スケジューラは、これらのクラスタをツリー構造から削除するように構成される。図２Ｂの例では、インデックス０〜７、１００〜１０３、１５０、１５１、及び１８８を有するクラスタがツリーから削除される。その後、残りのクラスタに、ユーザ装置に第２のクラスタをシグナリングする際に使用する新たなインデックス値が付けられる。このようにして、インデックスの数を減少させ、シグナリング負荷を低減することができる。２つよりも多くのクラスタを割り当てる場合には、再びこの処理を繰り返すことができる。
【００５５】
実施形態では、アップリンク送信のためにユーザ装置にクラスタを割り当てた後に、スケジューラが、割り当てたクラスタの最初又は最後のいずれかを分割周波数として使用して、周波数領域内のツリー構造のクラスタを２つのセクションに分割し、割り当てたクラスタを含むセクションに属するクラスタをツリー構造から削除し、ユーザ装置にさらなるクラスタを割り当てる前に、個々の利用可能なクラスタに新たなインデックス付けを適用するように構成される。
【００５６】
図２Ｃに、この実施形態を示す。図２Ｃの例では、インデックス１６を有するクラスタがユーザ装置に割り当てられると仮定する。スケジューラは、割り当てたクラスタの最初又は最後のいずれかを分割周波数として使用して、周波数領域内のツリー構造のクラスタを２つのセクションに分割するように構成される。この例では、ツリー構造が２つのセクション２１２及び２１４に分割される。スケジューラは、割り当てたクラスタを含むセクション２１２に属するクラスタをツリー構造から削除する。セクション２１２に一部のみが属するクラスタも削除される。従って、インデックス１８９、１７７、１５４、及び１０８を有するクラスタも削除される。上記の例では、残りのクラスタは、下から順にインデックス１７〜９９、１０９〜１４９、１５５〜１７４、１７８〜１８７及び１９０を有する。その後、この残りのクラスタに、ユーザ装置に第２のクラスタをシグナリングする際に使用する新たなインデックス値が付けられる。このようにして、インデックスの数を減少させ、シグナリング負荷を低減することができる。２つよりも多くのクラスタを割り当てる場合には、再びこの処理を繰り返すことができる。
【００５７】
図２Ｃの状況は例示的なものにすぎない。実際には、割り当てに関する情報が同時に送信されるので、上記の方法は、例えば２つのクラスタを割り当てる場合、クラスタをどの順序で割り当てるかは問題でないという事実を利用することができる。従って、２つのクラスタの個々の割り当てに関して、２つのクラスタが入れ替わる同等の二重のクラスタ割り当てが存在する。利用可能な帯域幅の中央に近い方のクラスタを第１のクラスタとして選択すると、削除されるクラスタの数が多くなるので、シグナリング負荷の最適な低減が行われる。この方法は、第２のクラスタをシグナリングする際に使用するインデックスの数を半分まで減少させることができ、シグナリング負荷から１ビットを削除することができる。
【００５８】
このクラスタをどの順序で割り当ててもよいという特徴を別の方法で利用することもできる。実施形態では、スケジューラが、割り当てられる予定のあらゆる後続するクラスタよりも小さいクラスタを、アップリンク送信のためにユーザ装置に割り当てるように構成される。その次に割り当てられる予定のクラスタは、既に割り当てたクラスタよりも大きいので、スケジューラは、割り当てたクラスタよりも小さい全てのクラスタをツリー構造から削除することができる。その後、残りのクラスタに、ユーザ装置に第２のクラスタをシグナリングする際に使用する新たなインデックス値が付けられる。このようにして、インデックスの数を減少させ、シグナリング負荷を低減することができる。２つよりも多くのクラスタを割り当てる場合には、再びこの処理を繰り返すことができる。
【００５９】
図２Ｄに、この実施形態を示す。図２Ｄの例では、インデックス１５２及び１７７を有するクラスタがユーザ装置に割り当てられると仮定する。インデックス１５２を有するクラスタの方が小さいので、これが最初に割り当てられる。インデックス１５２を有するクラスタよりもサイズが小さい全てのクラスタをツリーから削除することができる。この例では、ＰＲＢのサイズが１又は２の全てのクラスタを削除することができる。
【００６０】
上記の実施形態では、クラスタの割り当てに制約がない。しかしながら、より大きなシグナリング負荷の節約を実現するために、いくつかの制約を利用することができる。１つの目標を、ＬＴＥリリース８における１つのクラスタ／２０ＭＨｚの場合のシグナリング負荷（周波数ホッピングフラグを含み、クラスタ化したリソースブロックマッピングでは周波数ホッピングを使用しないと仮定する）に相当する、１４ビットを使用して２つのクラスタの割り当てをシグナリングできるようにすることとすることができる。
【００６１】
（上述の方法を含む）リソース割り当てにおいて最適化を行わない場合、２０ＭＨｚにおいて必要な状態の数は４９４０である。
【００６２】
実施形態では、スケジューラが、偶数又は奇数のインデックス値を有する第１のクラスタ、及び奇数のインデックス値を有する第２のクラスタをユーザ装置に割り当てるように構成される。これにより状態の１／４が省かれ、すなわち３７１２の状態が必要となる。図２Ａの例において、（元々のインデックス付けを使用して）第１のクラスタが奇数で、第２のクラスタが偶数と仮定する。第１のクラスタのインデックスを選択した後に、奇数番号のクラスタをツリーから削除し、残りのクラスタに新たなインデックス値を付けることができる。
【００６３】
実施形態では、スケジューラが、全てが偶数又は奇数のいずれかのインデックス値を有するクラスタをユーザ装置に割り当てるように構成される。この方法では、状態の半分、すなわち２４７５が省かれる。
【００６４】
実施形態では、スケジューラが、偶数又は奇数のインデックス値を有するクラスタをユーザ装置に割り当てるように構成され、この割り当ては、ユーザ装置の所定の特性に基づく。この特性は、ユーザ装置の識別情報（ＩＤ）又はその他の何らかのユーザ装置固有の特性とすることができる。特性は、時間とともに変化することもできる。例えば、特性を、ユーザ装置ＩＤ及びサブフレーム番号の関数とすることができる。この方法により、状態の３／４までが省かれて１２３８まで減少し、ちょうど１４ビットで残りの全ての状態のシグナリングが可能になる。
【００６５】
実施形態では、スケジューラが、インデックスｍを含むクラスタをユーザ装置に割り当て、特定のブランチ上のクラスタの総数をｎとするインデックスｎ−ｍを含む第２のクラスタを割り当てるように構成される。これにより、１つのＰＲＢのサイズを有するクラスタの割り当てを制限する。特定の組み合わせのクラスタのみが許容される。これにより、単一のＰＲＢを割り当てるために依然としてダイバーシチを利用することはできるが、他のユーザをスケジューリングした後に残る「穴」の中で２つの単一のＰＲＢクラスタの割り当てをスケジュールすることはできない。
【００６６】
実施形態では、スケジューラが、単一の物理リソースブロックの長さを有するクラスタを、リソースブロック空間の最初又は最後のいずれか一方のみから割り当てるように構成される。図２Ｅに、この実施形態を示す。リソース空間は、リソースブロック空間の最初及び最後の所定の範囲２２０、２２２を有することができ、ここから単一のＰＲＢのサイズのクラスタを割り当てることができる。
【００６７】
実施形態では、スケジューラが、リソース割り当てのツリー構造を、サウンディング基準信号（ＳＲＳ）の割り当てにおいて使用するツリー構造に少なくとも部分的に一致させるように構成される。サウンディング基準信号とは、ユーザ装置により送信される、アップリンクチャネルの質に関する情報を提供する信号である。ネットワークは、アップリンクリソース割り当てに関するチャネル情報（すなわち、クラスタのスケジューリング）を利用することができる。
【００６８】
ＬＴＥでは、利用可能なサウンディング基準信号の帯域幅が、いくつかのブランチを含むツリー構造の形をとる。図３Ａ及び図３Ｂに、ＳＲＳのツリー構造の２つの例を示す。図３Ａでは、ツリーが、４つのブランチ３００、３０２、３０４、及び３０６を含み、第１のブランチ３００上では、各クラスタのサイズが４物理リソースブロックであり、これに応じて、他のブランチ３０２、３０４、及び３０６のサイズは２４、４８、及び９６である。図３Ｂでは、ツリーが、４つのブランチ３０８、３１０、３１２、及び３１４を含み、第１のブランチ３０８上では、各クラスタのサイズが４物理リソースブロックであり、これに応じて、他のブランチ３１０、３１２、及び３１４のサイズは１６、４８、及び９６である。
【００６９】
実施形態では、スケジューラが、リソース割り当てツリー構造を、サウンディング基準信号の割り当てにおいて使用する、４物理リソースブロックのサイズに等しいクラスタを有するリソース割り当てツリーブランチから開始するツリー構造に一致させるように構成される。サウンディング基準信号は、ネットワークにアップリンクチャネル情報を提供するので、ツリー構造とＳＲＳ構造が一致した場合にチャネル情報が最も正確になる。
【００７０】
ネットワークは、サウンディング基準信号の割り当てにおいて使用するツリー構造を、セルごとに別個に構成することができる。
【００７１】
図４Ａは、実施形態を示すフロー図である。ステップ４００において、物理リソースブロックのリソース割り当てにおいて、複数のブランチを有するツリー構造を利用してユーザ装置にクラスタを割り当て、個々のブランチは、リソース割り当てのための１又はそれ以上の開始位置を含み、個々の開始位置は、物理リソースブロックのクラスタを定義し、開始位置の数は個々のブランチにおいて異なり、個々のブランチのリソースクラスタのサイズは異なり、各リソースクラスタに所定のインデックスが付けられる。
【００７２】
ステップ４０２において、全ての必要なクラスタが割り当てられたかどうかをチェックする。
【００７３】
割り当てられていない場合、ステップ４００を繰り返す。
【００７４】
割り当てられている場合、ステップ４０４において、この割り当てをユーザ装置へシグナリングする。
【００７５】
図４Ｂは、別の実施形態を示すフロー図である。ステップ４００において、物理リソースブロックのリソース割り当てにおいて、複数のブランチを有するツリー構造を利用してユーザ装置にクラスタを割り当て、個々のブランチは、リソース割り当てのための１又はそれ以上の開始位置を含み、個々の開始位置は、物理リソースブロックのクラスタを定義し、開始位置の数は個々のブランチにおいて異なり、個々のブランチのリソースクラスタのサイズは異なり、各リソースクラスタに所定のインデックスが付けられる。
【００７６】
ステップ４０２において、全ての必要なクラスタが割り当てられたかどうかをチェックする。
【００７７】
割り当てられていない場合、ステップ４０６おいてインデックスの使用を最適化する。この最適化は、上述したようにツリーから一連のクラスタを削除するステップと、残りのクラスタに新たなインデックスを適用するステップとを含むことができる。この最適化は、割り当てるためのクラスタを選択する際に固有のルールを適用するステップを含むこともできる。最適化後に、ステップ４００を繰り返す。
【００７８】
割り当てられている場合、この割り当てをユーザ装置へシグナリングする。
【００７９】
図４Ｃは、さらに別の実施形態を示すフロー図である。ステップ４０８において、ユーザ装置に割り当てるべきクラスタの数を決定する。１つのクラスタのみを割り当てる場合、スケジューラが、ステップ４１０においてＬＴＥベースの割り当て及びシグナリングを利用するように構成される。このようにして、１つのクラスタしか利用できないＬＴＥベースの装置との下位互換性を保証する。
【００８０】
複数のクラスタを割り当てる（又はサポートする）場合、処理は、ステップ４１２において図４Ａ又は図４Ｂのいずれかに従って継続する。
【００８１】
図５及び図１Ｂは、本発明の実施形態をユーザ装置の視点から示すものである。
【００８２】
ユーザ装置は、アップリンクリソース割り当てを受け取るように構成された受信機１２４Ｂと、割り当てられたリソースを使用して送信を行うように構成された送信機１２４Ｂとを含む。図１Ｂでは、受信機及び送信機を組み合わせてトランシーバにしているが、当業者であれば十分理解しているように、これらを別個の装置として実現することもできる。
【００８３】
ユーザ装置のコントローラ１２０Ｂは、物理リソースブロックのリソース割り当てにおいて複数のブランチを有するツリー構造に基づくリソース割り当てを利用するようにトランシーバ１２４Ｂを制御するよう構成され、個々のブランチは、リソース割り当てのための１又はそれ以上の開始位置を含み、個々の開始位置は、物理リソースブロックのクラスタを定義し、開始位置の数は個々のブランチにおいて異なり、個々のブランチのリソースクラスタのサイズは異なり、各リソースクラスタに所定のインデックスが付けられ、リソース割り当ては、１又はそれ以上のクラスタのインデックスを含む。
【００８４】
図５は、実施形態をユーザ装置の視点から示すフロー図である。図５のステップ５００において、ユーザ装置が、ｅＮｏｄｅＢからシグナリング情報を受け取る。このシグナリング情報は、ユーザ装置のアップリンクリソース割り当てに関する情報を含む。
【００８５】
ステップ５０２において、ユーザ装置が、シグナリング情報から、割り当てられたクラスタを判断する。シグナリング情報は、クラスタのインデックスを含むことができる。ユーザ装置は、使用されるインデックス付けスキームを判断する。上述したような起こり得る最適化に起因して、リソース割り当ての最初のクラスタと後続するクラスタとが異なるインデックス付けを利用することもある。最適化方法は予め定められており、ユーザ装置は、インデックスの使用を認識している。
【００８６】
上述したステップ及び動作を実行できる装置を、ワーキングメモリ（ＲＡＭ）、中央処理装置（ＣＰＵ）及びシステムクロックを含むことができる電子デジタルコンピュータとして実現することができる。ＣＰＵは、一連のレジスタ、算術論理演算ユニット、及び制御ユニットを含む。制御ユニットは、ＲＡＭからＣＰＵに転送される一連のプログラム命令により制御される。制御ユニットは、基本動作のための多くのマイクロ命令を含むことができる。マイクロ命令の実施構成は、ＣＰＵの設計によって異なることができる。プログラム命令はプログラミング言語によってコード化することができ、これらの言語は、Ｃ、Ｊａｖａ（登録商標）などの高水準プログラミング言語であっても、或いはマシン語又はアセンブラなどの低水準プログラミング言語であってもよい。電子デジタルコンピュータは、プログラム命令で記述されたコンピュータプログラムにシステムサービスを提供できるオペレーティングシステムを有することもできる。
【００８７】
実施形態は、電子装置にロードされた場合に、上述したようなシングルユーザ多入力多出力送信を利用するユーザ装置の制御信号のアップリンク送信を制御するように構成されたプログラム命令を含む、配布媒体上で具体化されるコンピュータプログラムを提供する。
【００８８】
コンピュータプログラムは、ソースコード形式、オブジェクトコード形式、又は何らかの中間形式をとることができ、これを、プログラムを搬送できるいずれのエンティティ又は装置であってもよい何らかの種類のキャリアに記憶することができる。このようなキャリアとして、例えば、記録媒体、コンピュータメモリ、読み取り専用メモリ、電気搬送波信号、電気通信信号、及びソフトウェア配布パッケージが挙げられる。必要な処理能力に応じ、コンピュータプログラムを単一の電子デジタルコンピュータで実行することも、或いは多くのコンピュータ間に分散させることもできる。
【００８９】
装置を、特定用途向け集積回路ＡＳＩＣなどの１又はそれ以上の集積回路として実現することもできる。別個の論理要素で構築される回路などの他のハードウェアの実施形態も実現可能である。これらの異なる実施構成の混成も実現可能である。実施方法を選択する場合、当業者であれば、例えば、装置のサイズ及び消費電力、必要な処理能力、製造コスト、及び製造量に関して設定された要件を考慮するであろう。
【００９０】
当業者には、技術が進歩するにつれ、本発明の概念を様々な方法で実現できることが明らかであろう。本発明及びその実施形態は、上述の例に限定されるものではなく、特許請求の範囲内では異なることができる。
【符号の説明】
【００９１】
２００  第１のブランチ
２０２  第２のブランチ
２０４  第３のブランチ
２０６  第４のブランチ
２０８  第５のブランチ
【図１Ａ】
2014150588.tif 000003
【図１Ｂ】
2014150588.tif 000004
【図２Ａ】
2014150588.tif 000005
【図２Ｂ】
2014150588.tif 000006
【図２Ｃ】
2014150588.tif 000007
【図２Ｄ】
2014150588.tif 000008
【図２Ｅ】
2014150588.tif 000009
【図３Ａ】
2014150588.tif 000010
【図３Ｂ】
2014150588.tif 000011
【図４Ａ】
2014150588.tif 000012
【図４Ｂ】
2014150588.tif 000013
【図４Ｃ】
2014150588.tif 000014
【図５】
2014150588.tif 000015
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
通信装置において、
物理リソースブロックのリソース割り当てにおいて複数のブランチを有するツリー構造を利用するステップと、
各リソースクラスタに所定のインデックスを付けるステップと、
１又はそれ以上のクラスタをユーザ装置のアップリンク接続に割り当てるステップと、
前記ユーザ装置のアップリンク接続に対する複数のクラスタの割り当てに関する情報を同時に送信するステップと
を含み、
各ブランチが、前記リソース割り当てのための１又はそれ以上の開始位置を含み、各開始位置が、前記物理リソースブロックのクラスタに関連し、前記開始位置の数が、各ブランチにおいて異なり、各ブランチの前記リソースクラスタのサイズが異なり、
前記複数のクラスタの割り当ては、前記ツリー構造内、前記複数のクラスタに対応する所定のインデックスを用いてシグナリングされ、前記複数のクラスタの前記所定のインデックスは、リソースブロック空間における前記複数のクラスタの、対応する開始及び終了物理リソースブロックを表わす
ことを特徴とする、通信のための方法。
【請求項２】
前記ブランチ上の前記クラスタのサイズが、少なくとも１つの所与の整数の累乗に基づく、
ことを特徴とする請求項１に記載の方法。
【請求項３】
前記割り当てたリソースを前記ユーザ装置へシグナリングするステップをさらに含む、ことを特徴とする請求項１又は請求項２に記載の方法。
【請求項４】
アップリンク送信のためにユーザ装置にクラスタを割り当てるステップと、
前記割り当てたクラスタと重複するクラスタを前記ツリー構造から削除するステップと、
前記ユーザ装置にさらなるクラスタを割り当てる前に、利用可能な各クラスタに所定のインデックスを付け直すステップと、
をさらに含むことを特徴とする請求項１、請求項２、又は請求項３のいずれかに記載の方法。
【請求項５】
アップリンク送信のためにユーザ装置にクラスタを割り当てるステップと、
前記割り当てたクラスタの最初又は最後のいずれかを分割周波数として使用して、周波数領域内の前記ツリー構造のクラスタを２つのセクションに分割するステップと、
前記割り当てたクラスタを含む前記セクションに属するクラスタを前記ツリー構造から削除するステップと、
前記ユーザ装置にさらなるクラスタを割り当てる前に、利用可能な各クラスタに所定のインデックスを付け直すステップと、
をさらに含むことを特徴とする請求項１、請求項２、又は請求項３のいずれかに記載の方法。
【請求項６】
割り当てる予定の後続するクラスタよりも小さいクラスタをアップリンク送信のためにユーザ装置に割り当てるステップと、
前記割り当てたクラスタよりも小さい前記クラスタを前記ツリー構造から削除するステップと、
前記ユーザ装置にさらなるクラスタを割り当てる前に、利用可能な各クラスタに所定のインデックスを付け直すステップと、
をさらに含むことを特徴とする請求項１、請求項２、又は請求項３のいずれかに記載の方法。
【請求項７】
ユーザ装置に割り当てる第１のクラスタが、偶数又は奇数のインデックス値を有し、前記ユーザ装置に割り当てる第２のクラスタが、奇数のインデックス値を有する、
ことを特徴とする請求項１、請求項２、又は請求項３のいずれかに記載の方法。
【請求項８】
ユーザ装置に割り当てる全てのクラスタが、偶数又は奇数のいずれかのインデックス値を有する、
ことを特徴とする請求項１、請求項２、又は請求項３のいずれかに記載の方法。
【請求項９】
前記ユーザ装置の所定の特性に応じて、前記ユーザ装置に偶数又は奇数のインデックス値が割り当てられる、
ことを特徴とする請求項８に記載の方法。
【請求項１０】
インデックスｍを有するクラスタをユーザ装置に割り当てるステップと、
ブランチ内のクラスタの総数をｎとするインデックスｎ−ｍを有する第２のクラスタを割り当てるステップと、
を含むことを特徴とする請求項１、請求項２、又は請求項３のいずれかに記載の方法。
【請求項１１】
単一の物理リソースブロックの長さを有するクラスタを、リソースブロック空間の最初又は最後のいずれかのみから割り当てるステップをさらに含む、
ことを特徴とする請求項１、請求項２、又は請求項３のいずれかに記載の方法。
【請求項１２】
前記リソース割り当ての前記ツリー構造を、サウンディング基準信号の割り当てにおいて使用するツリー構造と一致させるステップをさらに含む、
ことを特徴とする請求項１、請求項２、又は請求項３のいずれかに記載の方法。
【請求項１３】
物理リソースブロックのリソース割り当てにおいて複数のブランチを有するツリー構造を利用し、
各リソースクラスタに所定のインデックスを付け、
１又はそれ以上のクラスタをユーザ装置のアップリンク接続に割り当てる、
ように構成されたコントローラと、
前記ユーザ装置のアップリンク接続に対する複数のクラスタの割り当てに関する情報を同時に送信するように構成された送信機と、
を備え、各ブランチが、前記リソース割り当てのための１又はそれ以上の開始位置を含み、各開始位置が、前記物理リソースブロックのクラスタに関連し、前記開始位置の数が、各ブランチにおいて異なり、各ブランチの前記リソースクラスタのサイズが異なり、
前記複数のクラスタの割り当ては、前記ツリー構造内、前記複数のクラスタに対応する所定のインデックスを用いてシグナリングされ、前記複数のクラスタの前記所定のインデックスは、リソースブロック空間における前記複数のクラスタの、対応する開始及び終了物理リソースブロックを表わす
ことを特徴とする装置。
【請求項１４】
前記ブランチ上の前記クラスタの前記サイズが少なくとも１つの所与の整数の累乗に基づくツリー構造を利用するようにさらに構成されたコントローラを備える、
ことを特徴とする請求項１３に記載の装置。
【請求項１５】
前記割り当てたリソースを前記ユーザ装置へシグナリングするように構成された送信機を備える、
ことを特徴とする請求項１３又は１４に記載の装置。
【請求項１６】
アップリンク送信のためにユーザ装置にクラスタを割り当て、
前記割り当てたクラスタと重複するクラスタを前記ツリー構造から削除し、
前記ユーザ装置にさらなるクラスタを割り当てる前に、利用可能な各クラスタに所定のインデックスを付け直す、
ようにさらに構成されたコントローラを備える、
ことを特徴とする請求項１３、請求項１４、又は請求項１５のいずれかに記載の装置。
【請求項１７】
アップリンク送信のためにユーザ装置にクラスタを割り当て、
前記割り当てたクラスタの最初又は最後のいずれかを分割周波数として使用して、周波数領域内の前記ツリー構造のクラスタを２つのセクションに分割し、
前記割り当てたクラスタを含む前記セクションに属するクラスタを前記ツリー構造から削除し、
前記ユーザ装置にさらなるクラスタを割り当てる前に、利用可能な各クラスタに所定のインデックスを付け直す、
ようにさらに構成されたコントローラを備える、
ことを特徴とする請求項１３、請求項１４、又は請求項１５のいずれかに記載の装置。
【請求項１８】
割り当てる予定の後続するクラスタよりも小さいクラスタをアップリンク送信のためにユーザ装置に割り当て、
前記割り当てたクラスタよりも小さい前記クラスタを前記ツリー構造から削除し、
前記ユーザ装置にさらなるクラスタを割り当てる前に、利用可能な各クラスタに所定のインデックスを付け直す、
ようにさらに構成されたコントローラを備える、
ことを特徴とする請求項１３、請求項１４、又は請求項１５のいずれかに記載の装置。
【請求項１９】
偶数又は奇数のインデックス値を有する第１のクラスタ、及び奇数のインデックス値を有する第２のクラスタをユーザ装置に割り当てるようにさらに構成されたコントローラを備える、
ことを特徴とする請求項１３、請求項１４、又は請求項１５のいずれかに記載の装置。
【請求項２０】
全てが偶数又は奇数のいずれかのインデックス値を有するクラスタをユーザ装置に割り当てるようにさらに構成されたコントローラを備える、
ことを特徴とする請求項１３、請求項１４、又は請求項１５のいずれかに記載の装置。
【請求項２１】
前記ユーザ装置の所定の特性に応じて偶数又は奇数のインデックス値を有するクラスタを前記ユーザ装置に割り当てるようにさらに構成されたコントローラを備える、
ことを特徴とする請求項２０に記載の装置。
【請求項２２】
インデックスｍを有するクラスタをユーザ装置に割り当て、
ブランチ内のクラスタの総数をｎとするインデックスｎ−ｍを有する第２のクラスタを割り当てる、
ようにさらに構成されたコントローラを備える、
ことを特徴とする請求項１３、請求項１４、又は請求項１５のいずれかに記載の装置。
【請求項２３】
単一の物理リソースブロックの長さを有するクラスタを、リソースブロック空間の最初又は最後のいずれかのみから割り当てるようにさらに構成されたコントローラを備える、ことを特徴とする請求項１３、請求項１４、又は請求項１５のいずれかに記載の装置。
【請求項２４】
前記リソース割り当ての前記ツリー構造を、サウンディング基準信号の割り当てにおいて使用するツリー構造と一致させるようにさらに構成されたコントローラを備える、
ことを特徴とする請求項１３、請求項１４、又は請求項１５のいずれかに記載の装置。
【請求項２５】
アップリンクリソース割り当てを受け取るように構成された受信機と、
前記割り当てられたリソースを使用して送信を行うように構成された送信機と、
物理リソースブロックの前記リソース割り当てにおいて、複数のブランチを有するツリー構造に基づくリソース割り当てを利用するように前記送信機を制御するように構成されたコントローラと、
を備え、
前記受信機は、装置のアップリンク接続に対する複数のクラスタの割り当てに関する情報を同時に受信するよう構成され、
各ブランチが、前記リソース割り当てのための１又はそれ以上の開始位置を含み、
各開始位置が、前記物理リソースブロックのクラスタに関連し、前記開始位置の数が、各ブランチにおいて異なり、各ブランチの前記リソースクラスタのサイズが異なり、
各リソースクラスタに所定のインデックスが付けられ、前記リソース割り当てが、１又はそれ以上のクラスタの前記インデックスを含み、
前記複数のクラスタの割り当ては、前記ツリー構造内、前記複数のクラスタに対応する所定のインデックスを用いてシグナリングされ、前記複数のクラスタの前記所定のインデックスは、リソースブロック空間における前記複数のクラスタの、対応する開始及び終了物理リソースブロックを表わす
ことを特徴とする前記装置。
【請求項２６】
物理リソースブロックのリソース割り当てにおいて複数のブランチを有するツリー構造を利用するための手段と、
各リソースクラスタに所定のインデックスを付けるための手段と、
１又はそれ以上のクラスタをユーザ装置のアップリンク接続に割り当てるための手段と、
前記ユーザ装置のアップリンク接続に対する複数のクラスタの割り当てに関する情報を同時に送信するための手段と、
を備え、各ブランチが、前記リソース割り当てのための１又はそれ以上の開始位置を含み、各開始位置が、前記物理リソースブロックのクラスタに関連し、前記開始位置の数が、各ブランチにおいて異なり、各ブランチの前記リソースクラスタのサイズが異なり、
前記複数のクラスタの割り当ては、前記ツリー構造内、前記複数のクラスタに対応する所定のインデックスを用いてシグナリングされ、前記複数のクラスタの前記所定のインデックスは、リソースブロック空間における前記複数のクラスタの、対応する開始及び終了物理リソースブロックを表わす
ことを特徴とする装置。
【請求項２７】
物理リソースブロックのリソース割り当てのための動作を実行するようにプロセッサにより実行可能な命令のプログラムを記録したコンピュータ可読メモリであって、前記動作が、
物理リソースブロックのリソース割り当てにおいて複数のブランチを有するツリー構造を利用するステップと、
各リソースクラスタに所定のインデックスを付けるステップと、
１又はそれ以上のクラスタをユーザ装置のアップリンク接続に割り当てるステップと、
前記ユーザ装置のアップリンク接続に対する複数のクラスタの割り当てに関する情報を同時に送信するステップと
を含み、
各ブランチが、前記リソース割り当てのための１又はそれ以上の開始位置を含み、各開始位置が、前記物理リソースブロックのクラスタに関連し、前記開始位置の数が、各ブランチにおいて異なり、各ブランチの前記リソースクラスタのサイズが異なり、
前記複数のクラスタの割り当ては、前記ツリー構造内、前記複数のクラスタに対応する所定のインデックスを用いてシグナリングされ、前記複数のクラスタの前記所定のインデックスは、リソースブロック空間における前記複数のクラスタの、対応する開始及び終了物理リソースブロックを表わす
ことを特徴とするコンピュータ可読メモリ。